(57)【要約】【課題】警報発生後の換気に効果があるのかをユーザに伝えることで、ユーザの不安感を解消することができるガス警報器を提供する。【解決手段】ガスセンサにより検出されたガス濃度が警報値以上になってからガスセンサにより検出されたガス濃度が低下し始めるまでを第１警報発生期間Ｔ１、第１警報発生期間Ｔ１後であってガスセンサにより検出されたガス濃度が低下し始めてからガスセンサにより検出されたガス濃度が警報値以下になるまでを第２警報発生期間Ｔ２とする。ＣＰＵは、上記第１警報発生期間Ｔ１中に警報ブザーを連続鳴動させると共に警報ランプを連続点灯させ、上記第２警報発生期間Ｔ２中に警報ブザーを間欠鳴動させると共に警報ランプを間欠点灯させる。【選択図】図３
2010267244.tif 000002
【特許請求の範囲】
【請求項１】
検出対象ガスのガス濃度を検出するガスセンサと、前記ガスセンサにより検出されたガス濃度が警報値以上になったときに警報を発生する警報発生手段と、を備えたガス警報器において、
前記ガスセンサにより検出されたガス濃度が警報値以上になってから前記ガスセンサにより検出されたガス濃度が低下し始めるまでの第１警報発生期間と、前記第１警報発生期間後であって前記ガスセンサにより検出されたガス濃度が低下し始めた後の第２警報発生期間と、に発生する警報が異なるように、前記警報発生手段が設けられた
ことを特徴とするガス警報器。
【請求項２】
検出対象ガスのガス濃度を検出するガスセンサと、前記ガスセンサにより検出されたガス濃度が警報値以上になったときに警報を発生する警報発生手段と、を備えたガス警報器において、
前記ガスセンサにより検出されたガス濃度が警報値以上になってから前記ガスセンサにより検出されたガス濃度が低下して前記警報値よりも大きい閾値以下になるまでの第１警報発生期間と、前記第１警報発生期間後であって前記ガスセンサにより検出されたガス濃度が前記警報値よりも大きい閾値以下になった後の第２警報発生期間と、に発生する警報が異なるように、前記警報発生手段が設けられた
ことを特徴とするガス警報器。
【請求項３】
前記警報発生手段が、前記第２警報発生期間中に前記ガスセンサにより検出されたガス濃度が再び上昇したときに前記第１警報発生期間に戻すように、設けられている
ことを特徴とする請求項１又は２に記載のガス警報器。
【請求項４】
前記警報発生手段が、前記第１警報発生期間中に警報音を連続鳴動又は発光素子を連続点灯させ、前記第２警報発生期間中に前記警報音を間欠鳴動させ又は前記発光素子を間欠点灯させるように、設けられている
ことを特徴とする請求項１〜３何れか１項に記載のガス警報器。
【請求項５】
前記警報発生手段が、前記第１警報発生期間中に警報音を間欠鳴動又は発光素子を間欠点灯させ、前記第２警報発生期間中に前記第１警報発生期間中よりも長い間隔で前記警報音を間欠鳴動させ又は前記発光素子を間欠点灯させるように、設けられている
ことを特徴とする請求項１〜３何れか１項に記載のガス警報器。
【請求項６】
前記警報発生手段が、前記第２警報発生期間中に前記ガスセンサにより検出されたガス濃度の低下に応じて前記警報音の鳴動間隔又は前記発光素子の点灯間隔が変化するように設けられている
ことを特徴とする請求項４又は５に記載のガス警報器。
【請求項７】
前記警報発生手段が、前記第１警報発生期間中にガス漏れが生じている旨の音声を発生させ、前記第２警報発生期間中に換気効果が出ている旨の音声を発生するように、設けられている
ことを特徴とする請求項１〜６何れか１項に記載のガス警報器。
【発明の詳細な説明】
【技術分野】
【０００１】
本発明は、ガス警報器に係り、特に、検出対象ガスのガス濃度を検出するガスセンサと、前記ガスセンサにより検出されたガス濃度が警報値以上になったときに警報を発生する警報発生手段と、を備えたガス警報器に関するものである。
【背景技術】
【０００２】
上述したガス警報器としては、ＬＰガス及び都市ガス（検出対象ガス）のガス濃度を検出して警報を発生するガス漏れ警報器や、不完全燃焼時に発生する一酸化炭素ガス（検出対象ガス）のガス濃度を検出して警報を発生する不完全燃焼警報器などが提案されている。上記ガス漏れ警報器は、ＬＰガス又は都市ガスのガス濃度が警報値以上になったときに警報を開始し、その後、警報値以下になったときに警報を停止するように設けられている。なお、ガス漏れ警報器の警報値は、１／４ＬＥＬ（爆発下限界）以下の値に設定されている。また、不完全燃焼警報器も同様に、一酸化炭素ガスのガス濃度が警報値以上になったときに警報を開始し、その後、警報値以下になったときに警報を停止するように設けられている。
【０００３】
上記ＬＰガス又は都市ガスが漏洩してガス漏れ警報器が警報を発生した場合は、ドアや窓を開け換気を行い、ガス栓、器具栓を閉める処置を行うように指導している。また、一酸化炭素ガスが発生して不完全燃焼警報器が警報を発生した場合は、ドアや窓を開け換気を行い、ガス器具の使用を停止する処置を行うように指導している。しかしながら、換気を行ってもＬＰガス、都市ガス、一酸化炭素ガスのガス濃度はすぐに警報値以下になることはなく、ガス濃度を警報値以下にするためにはある程度時間をかけて換気を行う必要がある。このため、換気を行った後もガス警報器からはしばらく警報が発生する。このように、換気を行ってもすぐにガス警報器からの警報が停止しないと、換気そのものに効果が出ているのか不明であり、ユーザに対して不安感を募らせる、という問題がある。また、警報が止まらないとしてユーザからガス警報器が返却されるケースもある。
【０００４】
また、点検時に点検ガスをガス警報器に吹き付けたり、誤って殺虫剤などのスプレーをガス警報器に吹き付けて、ガス警報器が誤動作して警報が発生した場合も同様に、換気を行ってもすぐには警報が停止されず、同様にユーザに対して不安感を募らせる、などの問題が生じる。ところで、最近のほとんどの都市ガス用のガス漏れ警報器には、誤動作防止用の活性炭フィルターが装着されている。この活性炭フィルターを装着したガス漏れ警報器は、警報発生後、換気を行っても活性炭フィルターに吸着したガスが徐々に離脱するためガス濃度の低下が遅く、一度警報が発生すると、警報が停止するのが遅い傾向にあり、特に問題となっている。
【０００５】
そこで、例えば、特許文献１に記載されているようなガス警報器が知られている。このガス警報器は、点検モードにおいて、警報発生後、検出されたガス濃度が２回連続して前回検出値以下となった場合に強制的に警報を停止するものである。しかしながら、通常モードにおいても同様に、警報発生後、ガス濃度が２回連続して前回検出値以下となったときに強制的に警報を停止するようにガス警報器を動作させた場合、ガス濃度が警報値を下回っていないにもかかわらず警報が停止されてしまう。このため、ユーザが十分な換気を行われていない状態で警報停止に応じて換気を止めてしまう、という恐れがある。
【先行技術文献】
【特許文献】
【０００６】
【特許文献１】特開２００７−１２０９４号公報
【発明の概要】
【発明が解決しようとする課題】
【０００７】
そこで、本発明は、警報発生後の換気に効果があるのかをユーザに伝えることで、ユーザの不安感を解消することができるガス警報器を提供することを課題とする。
【課題を解決するための手段】
【０００８】
上述した課題を解決するためになされた請求項１記載の発明は、検出対象ガスのガス濃度を検出するガスセンサと、前記ガスセンサにより検出されたガス濃度が警報値以上になったときに警報を発生する警報発生手段と、を備えたガス警報器において、前記ガスセンサにより検出されたガス濃度が警報値以上になってから前記ガスセンサにより検出されたガス濃度が低下し始めるまでの第１警報発生期間と、前記第１警報発生期間後であって前記ガスセンサにより検出されたガス濃度が低下し始めた後の第２警報発生期間と、に発生する警報が異なるように、前記警報発生手段が設けられたことを特徴とするガス警報器に存する。
【０００９】
請求項２記載の発明は、検出対象ガスのガス濃度を検出するガスセンサと、前記ガスセンサにより検出されたガス濃度が警報値以上になったときに警報を発生する警報発生手段と、を備えたガス警報器において、前記ガスセンサにより検出されたガス濃度が警報値以上になってから前記ガスセンサにより検出されたガス濃度が低下して前記警報値よりも大きい閾値以下になるまでの第１警報発生期間と、前記第１警報発生期間後であって前記ガスセンサにより検出されたガス濃度が前記警報値よりも大きい閾値以下になった後の第２警報発生期間と、に発生する警報が異なるように、前記警報発生手段が設けられたことを特徴とするガス警報器に存する。
【００１０】
請求項３記載の発明は、前記警報発生手段が、前記第２警報発生期間中に前記ガスセンサにより検出されたガス濃度が再び上昇したときに前記第１警報発生期間に戻すように、設けられていることを特徴とする請求項１又は２に記載のガス警報器に存する。
【００１１】
請求項４記載の発明は、前記警報発生手段が、前記第１警報発生期間中に警報音を連続鳴動又は発光素子を連続点灯させ、前記第２警報発生期間中に前記警報音を間欠鳴動させ又は前記発光素子を間欠点灯させるように、設けられていることを特徴とする請求項１〜３何れか１項に記載のガス警報器に存する。
【００１２】
請求項５記載の発明は、前記警報発生手段が、前記第１警報発生期間中に警報音を間欠鳴動又は発光素子を間欠点灯させ、前記第２警報発生期間中に前記第１警報発生期間中よりも長い間隔で前記警報音を間欠鳴動させ又は前記発光素子を間欠点灯させるように、設けられていることを特徴とする請求項１〜３何れか１項に記載のガス警報器に存する。
【００１３】
請求項６記載の発明は、前記警報発生手段が、前記第２警報発生期間中に前記ガスセンサにより検出されたガス濃度の低下に応じて前記警報音の鳴動間隔又は前記発光素子の点灯間隔が変化するように設けられていることを特徴とする請求項４又は５に記載のガス警報器に存する。
【００１４】
請求項７記載の発明は、前記警報発生手段が、前記第１警報発生期間中にガス漏れが生じている旨の音声を発生させ、前記第２警報発生期間中に換気効果が出ている旨の音声を発生するように、設けられていることを特徴とする請求項１〜６何れか１項に記載のガス警報器に存する。
【発明の効果】
【００１５】
以上説明したように請求項１記載の発明によれば、ガス濃度が警報値以上になって警報が発生した後に換気が行われるとガス濃度が低下し始める。このガス濃度が低下し始めた時点で第１警報発生期間から第２警報発生期間になり警報が変わるので、警報発生後の換気に効果があることをユーザに伝えることができ、ユーザの不安感を解消することができる。また、ガス濃度が低下し始めた後も警報を発生し続けることができるため、換気が十分に行われない状態でユーザが換気を止めてしまう恐れもない。
【００１６】
請求項２記載の発明によれば、ガス濃度が警報値以上になって警報が発生した後に換気が行われるとガス濃度が低下して閾値以下となり警報値に近づく。このガス濃度が閾値以下となり警報値に近づいた時点で第１警報発生期間から第２警報発生期間になり警報が変わるので、警報発生後の換気に効果があることをユーザに伝えることができ、ユーザの不安感を解消することができる。また、ガス濃度が低下して閾値以下となった後も警報を発生し続けることができるため、換気が十分に行われていない状態でユーザが換気を止めてしまう恐れもない。
【００１７】
請求項３記載の発明によれば、ガス濃度が閾値以下となり第２警報発生期間になった後にガス濃度が再び上昇すると、第１警報発生期間に戻るので、ユーザに再びガス濃度が上昇した旨を知らせることができる。
【００１８】
請求項４及び５記載の発明によれば、警報音又は発光素子を用いて簡単に警報を異ならせることができる。
【００１９】
請求項６記載の発明によれば、換気の効果がどの程度なのかをより細かくユーザに伝えることができる。
【００２０】
請求項７記載の発明によれば、音声を用いることにより確実に換気に効果があることをユーザに伝えることができる。
【図面の簡単な説明】
【００２１】
【図１】第１実施形態における本発明のガス警報器の構成を示すブロック図である。
【図２】図１に示すガス警報器を構成するＣＰＵの処理手順を示すフローチャートである。
【図３】（Ａ）〜（Ｄ）はそれぞれ、第１実施形態におけるガス濃度、図１に示すガスセンサの出力、警報ブザーの鳴動状態、警報ランプの点灯状態、を示すタイムチャートである。
【図４】ガス濃度と、図１に示す警報ブザーの鳴動間隔及び警報ランプの点灯間隔と、の関係を示すグラフである。
【図５】第２実施形態における本発明のガス警報器の構成を示すブロック図である。
【図６】（Ａ）〜（Ｄ）はそれぞれ、第２実施形態におけるガス濃度、図５に示すガスセンサの出力、警報スピーカの出力状態、警報ランプの点灯状態を示すタイムチャートである。
【図７】（Ａ）〜（Ｅ）はそれぞれ、第３実施形態におけるガス濃度、ガスセンサの出力、警報ブザーの鳴動状態、警報スピーカの出力状態、警報ランプの点灯状態を示すタイムチャートである。
【図８】第４実施形態におけるガス警報器を構成するＣＰＵの処理手順を示すフローチャートである。
【図９】（Ａ）〜（Ｃ）はそれぞれ、第４実施形態における図１に示すガスセンサの出力、警報ランプの点灯状態、警報ブザーの鳴動状態、を示すタイムチャートである。
【図１０】（Ａ）〜（Ｃ）はそれぞれ、第４実施形態における図１に示すガスセンサの出力、警報ランプの点灯状態、警報ブザーの鳴動状態、を示すタイムチャートである。
【図１１】（Ａ）〜（Ｃ）はそれぞれ、第４実施形態における図１に示すガスセンサの出力、警報ランプの点灯状態、警報ブザーの鳴動状態、を示すタイムチャートである。
【発明を実施するための形態】
【００２２】
第１実施形態
以下、第１実施形態における本発明のガス警報器を図１〜図４に基づいて説明する。同図に示すように、ガス警報器１は、ガスセンサ２と、マイクロコンピュータ３（以下μＣＯＭ）と、警報ブザー４と、警報ランプ５と、を備えている。上記ガスセンサ２は、接触燃焼式や半導体式の公知のセンサであり、都市ガス、ＬＰガス、一酸化炭素ガスなどの検出対象ガスのガス濃度を検出する。μＣＯＭ３は、ガス警報器１全体の制御を司るコンピュータであり、ガスセンサ２によって検出されたガス濃度を監視し、ガス濃度が警報値以上になったときに後述する警報ブザー４及び警報ランプ５を制御して警報を発生する。
【００２３】
上記μＣＯＭ３は、プログラムに従って各種の処理を行う中央処理ユニット（ＣＰＵ）３１と、ＣＰＵ３１が行う処理のプログラムなどを格納した読み出し専用のメモリであるＲＯＭ３２と、ＣＰＵ３１での各種の処理過程で利用するワークエリア、各種データを格納するデータ格納エリアなどを有する読み出し書き込み自在のメモリであるＲＡＭ３３と、を有している。上記警報ブザー４は、μＣＯＭ３の制御に従ってブザー音（警報音）を発生する装置である。上記警報ランプ５は、μＣＯＭ３の制御に従って発光する発光素子である。
【００２４】
次に、上述した構成のガス警報器１の動作について図２及び図３を参照して以下説明する。ガス警報器１の電源オンに応じて、ＣＰＵ３１は図２に示す動作を開始する。まず、ＣＰＵ３１は、ガスセンサ２を制御して検出対象ガスのガス濃度を検出させ、そのガス濃度を取り込む（ステップＳ１）。その後、ＣＰＵ３１は、取り込んだガス濃度が警報値以上か否かを判断する（ステップＳ２）。図３（Ａ）及び（Ｂ）に示すように、ガス漏れ、不完全燃焼などが発生してガス警報器１周辺の雰囲気中の検出対象ガスのガス濃度が上昇し、これに応じてガスセンサ２により検出されたガス濃度が警報値以上になると（ステップＳ２でＹ）、ＣＰＵ３１は、警報ブザー４を連続鳴動（ブー）させると共に警報ランプ５を連続点灯させて警報を発生する（ステップＳ３）。この警報により、ユーザにガス濃度が警報値以上になったことを報知することができる。
【００２５】
その後、ＣＰＵ３１は、再びガスセンサ２を制御して検出対象ガスのガス濃度を検出させ、そのガス濃度を取り込む（ステップＳ４）。次に、ＣＰＵ３１は、ステップＳ４で取り込んだガス濃度に基づいてガス濃度が低下しているか否かを判断する（ステップＳ５）。上記低下判断としては、例えばステップＳ４で取り込んだガス濃度が２回連続して前回のステップＳ４で取り込んだガス濃度以下となった場合にガス濃度が低下していると判断する。ステップＳ３の警報に従ってユーザがドアや窓を開けて換気を行うと、図３（Ａ）及び（Ｂ）に示すように、ガス警報器１周辺の雰囲気中の検出対象ガスのガス濃度が低下する。
【００２６】
これに応じて、ＣＰＵ３１が、ガスセンサ２により検出されるガス濃度が低下していると判断すると（ステップＳ５でＹ）、直前に検出されたガス濃度に応じて警報ブザー４の鳴動間隔、警報ランプ５の点灯間隔を設定して（ステップＳ６）、設定した鳴動間隔で警報ブザー４を間欠鳴動（ブー、ブー）させると共に設定した点灯間隔で警報ランプ５を間欠点灯させる（ステップＳ７）。なお、鳴動間隔及び点灯間隔は、図４に示すように、ガス濃度が低くなるに従って遅くなるように設定される。このように連続鳴動及び連続点灯から間欠鳴動及び間欠点灯に変わることにより、ユーザに換気の効果がありガス濃度が低下し始めたことを報知することができる。
【００２７】
その後、ＣＰＵ３１は、再びガスセンサ２を制御して検出対象ガスのガス濃度を検出させ、そのガス濃度を取り込む（ステップＳ８）。そして、ステップＳ８で取り込んだガス濃度が警報値以下でなければ（ステップＳ９でＮ）、再びステップＳ６に戻る。このとき、ステップＳ６においては、ステップＳ８で取り込んだガス濃度に応じた鳴動間隔及び点灯間隔が新たに設定される。よって、換気が進んでガス濃度が低下していれば警報ブザー４の鳴動間隔及び警報ランプ５の点灯間隔はだんだん遅くなる。また、さらに換気が進んでガス濃度が警報値以下となると（ステップＳ９でＹ）、ＣＰＵ３１は、警報ブザー４及び警報ランプ５による警報を停止させた後（ステップＳ１０）、再びステップＳ１に戻る。
【００２８】
以上のことから明らかなように、ＣＰＵ３１は請求項中の警報発生手段として働く。また、上述した動作によれば、図３に示すように、ガスセンサ２により検出されたガス濃度が警報値以上になってからガスセンサ２により検出されたガス濃度が低下し始める第１警報発生期間Ｔ１中は警報ブザー４が連続鳴動すると共に警報ランプ５が連続点灯する。また、第１警報発生期間Ｔ１後であってガスセンサ２により検出されたガス濃度が低下し始めてからガスセンサ２により検出されたガス濃度が警報値以下になるまでの第２警報発生期間Ｔ２中は警報ブザー４が間欠鳴動すると共に警報ランプ５が間欠点灯する。即ち、第１警報発生期間Ｔ１と第２警報発生期間Ｔ２とで警報を異ならせることができる。
【００２９】
よって、ガス濃度が低下し始めた時点で第１警報発生期間Ｔ１から第２警報発生期間Ｔ２になり警報が連続鳴動及び連続点灯から間欠鳴動及び間欠点灯に変わるので、警報発生後の換気に効果があることをユーザに伝えることができ、ユーザの不安感を解消することができる。また、ガス濃度が低下し始めた後も警報を発生し続けることができるため、換気が十分に行われない状態でユーザが換気を止めてしまう恐れもない。
【００３０】
また、上述したガス警報器１によれば、第１警報発生期間Ｔ１中に警報ブザー４を連続鳴動させると共に警報ランプ５を連続点灯させ、第２警報発生期間Ｔ２中に警報ブザー４を間欠鳴動させると共に警報ランプ５を間欠点灯させている。これにより、警報ブザー４及び警報ランプ５を用いて簡単に警報を異ならせることができる。
【００３１】
また、上述したガス警報器１によれば、第２警報発生期間Ｔ２中にガスセンサ２により検出されたガス濃度の低下に応じて警報ブザー４の鳴動間隔及び警報ランプ５の点灯間隔が遅くなる（変化する）。これにより、換気の効果がどの程度なのかをより細かくユーザに伝えることができる。
【００３２】
第２実施形態
次に、第２実施形態における本発明のガス警報器を図５及び図６を参照して説明する。なお、図５において、図１について上述した第１実施形態で既に説明したガス警報器１と同等の部分については同一符号を付してその詳細な説明を省略する。上記第１実施形態と第２実施形態とで異なる点は、警報ブザー４に代えて音声出力回路６及び警報スピーカ７を設けた点である。音声出力回路６は、μＣＯＭ３の制御に従って音声信号を後述する警報スピーカ７に対して出力する回路である。警報スピーカ７は、音声出力回路６から出力される音声信号に応じた音声を出力する。
【００３３】
上述した第１実施形態では、図３に示すように、ＣＰＵ３１は、第１警報発生期間Ｔ１において警報ブザー４を連続鳴動させ、第２警報発生期間Ｔ２において警報ブザー４を間欠鳴動させていた。これに対して、第２実施形態では、図６に示すように、ＣＰＵ３１は、音声出力回路６を制御して、第１警報発生期間Ｔ１において警報スピーカ７から「ガスが漏れていませんか」との音声を繰り返し出力させ、第２警報発生期間Ｔ２において警報スピーカ７から「換気の効果がでています。そのまま換気をしてください」との音声を繰り返し出力させる。このように音声を用いることでより確実に換気に効果があることをユーザに伝えることができる。
【００３４】
第３実施形態
次に、第３実施形態における本発明のガス警報器を図７を参照して説明する。第３実施形態のガス警報器１の構成は第１又は第２実施形態と同様である為、ここでは詳細な説明は省略する。上述した第１及び第２実施形態では、図３及び図６に示すように、ガス濃度が警報値以上になってからガス濃度が低下し始めるまでを第１警報発生期間Ｔ１、第１警報発生期間Ｔ１後であってガス濃度が低下し始めてからガス濃度が警報値以下になるまでを第２警報発生期間Ｔ２としていた。これに対して、第３実施形態においては、図７に示すように、ガス濃度が警報値以上になってからガス濃度が低下し始めて警報値よりも大きい閾値以下になり警報値に近づくまでを第１警報発生期間Ｔ１、第１警報発生期間Ｔ１後であってガス濃度が閾値以下となってからガス濃度が警報値以下になるまでを第２警報発生期間Ｔ２としてもよい。
【００３５】
この場合も、第１及び第２実施形態と同様に、図７に示すように、第１警報発生期間Ｔ１と第２警報発生期間Ｔ２とに発生する警報を異ならせる。第３実施形態も同様に、ガス濃度が低下して閾値以下となった時点で第１警報発生期間Ｔ１から第２警報発生期間Ｔ２になり警報が変わるので、警報発生後の換気に効果があることをユーザに伝えることができ、ユーザの不安感を解消することができる。また、ガス濃度が低下して閾値以下となった後も警報を発生し続けることができるため、換気が十分に行われていない状態でユーザが換気を止めてしまう恐れもない。
【００３６】
第４実施形態
次に、第４実施形態における本発明のガス警報器を図８〜図１１を参照して説明する。第４実施形態のガス警報器１の構成は第１〜第３実施形態と同じである為、ここでは詳細な説明は省略する。第４実施形態におけるガス警報器１の動作について図８を参照して以下説明する。ガス警報器１の電源オンに応じて、ＣＰＵ３１は図８に示す動作を開始する。まず、ＣＰＵ３１は、ガスセンサ２を制御して検出対象ガスのガス濃度を検出させ、そのガス濃度を取り込む（ステップＳ１１）。
【００３７】
その後、ＣＰＵ３１は、取り込んだガス濃度が警報値以上か否かを判断する（ステップＳ１２）。図９（Ａ）に示すように、ガス漏れ、不完全燃焼などが発生してガス警報器１周辺の雰囲気中の検出対象ガスのガス濃度が上昇し、これに応じてガスセンサ２により検出されたガス濃度が警報値以上になると（ステップＳ１２でＹ）、ＣＰＵ３１は、警報状態となり、警報ブザー４を間隔Ｔ31で間欠鳴動させると共に同じく間隔Ｔ31で警報ランプ５を間欠点灯させて警報を発生する（ステップＳ１３）。
【００３８】
その後、ＣＰＵ３１は、再びガスセンサ２を制御して検出対象ガスのガス濃度を検出させ、そのガス濃度を取り込み（ステップＳ１４）、取り込んだガス濃度が警報値＋６００ｍＶ以上にまで上昇していれば（ステップＳ１５でＹ）、ガス濃度の検出を繰り返し（ステップＳ１６）、ガス濃度が警報値＋５５０ｍＶ（閾値）未満まで低下したか否かを判断する（ステップＳ１７）。ステップＳ１３の警報に従ってユーザがドアや窓を開けて換気を行うと、図９（Ａ）に示すように、ガス警報器１周辺の雰囲気中の検出対象ガスのガス濃度が低下する。
【００３９】
これに応じて、ＣＰＵ３１が、ガスセンサ２により検出されるガス濃度が警報値＋５５０ｍＶ未満に低下していると判断すると（ステップＳ１７でＹ）、警報状態から鳴り止み２段に遷移して、警報ブザー４の鳴動間隔及び警報ランプ５の点灯間隔を上記間隔Ｔ31よりも長い間隔Ｔ32に変更する（ステップＳ１８）。その後、ＣＰＵ３１は、再びガス濃度の検出を行い（ステップＳ１９）、ガス濃度が警報値＋６００ｍＶ以上に再び上昇してしまったか否かの判断（ステップＳ２０）、ガス濃度が上昇することなく警報値＋２００ｍＶ未満に低下したか否かの判断を行う（ステップＳ２１）。
【００４０】
図９に示すように、ガス濃度が警報値＋６００ｍＶ以上に上昇することなく警報値＋２００ｍＶ未満まで低下すると（ステップＳ２０でＮ、かつ、ステップＳ２１でＹ）、ＣＰＵ３１は、鳴り止み２段から鳴り止み１段に遷移して、警報ブザー４の鳴動間隔及び警報ランプ５の点灯間隔を上記間隔Ｔ32よりも長い間隔Ｔ33に変更する（ステップＳ２２）。その後、ＣＰＵ３１は、再びガス濃度の検出を行い（ステップＳ２３）、ガス濃度が警報値＋２５０ｍＶ以上に再び上昇してしまったか否かの判断（ステップＳ２４）、ガス濃度が上昇することなくさらに解除値未満に低下したか否の判断を行う（ステップＳ２５）。
【００４１】
図９に示すように、ガス濃度が警報値＋２５０ｍＶ以上に上昇することなく解除値未満まで低下すると（ステップＳ２４でＮ、かつ、ステップＳ２５でＹ）、ＣＰＵ３１は、鳴り止み１段から監視状態に遷移し、警報ブザー４及び警報ランプ５による警報を停止させた後（ステップＳ２６）、再びステップＳ１１に戻る。
【００４２】
これに対して、図１０に示すように、警報値＋６００ｍＶ以上のガス濃度のガスが発生し（ステップＳ１５でＹ）、その後、換気を行った結果、ガス濃度が警報値＋５５０ｍＶ未満まで低下したにも係わらず（ステップＳ１７でＹ）、何らかの原因で警報値＋６００ｍＶ以上のガス濃度の上昇が再び発生すると（ステップＳ２０でＹ）、ＣＰＵ３１は、鳴り止み２段から警報状態に遷移し、警報ブザー４及び警報ランプ５の鳴動間隔、点灯間隔を間隔Ｔ32から間隔Ｔ31に戻した後（ステップＳ２７）、再びステップＳ１６に戻る。
【００４３】
その後、図１０に示すようにガス濃度が再上昇することなく、警報値＋５５０ｍＶ未満（ステップＳ１７でＹ）、警報値＋２００ｍＶ未満（ステップＳ２１でＹ）、解除値未満（ステップＳ２４でＹ）に低下する毎に、ガス警報器１は、警報状態（ステップＳ１３）→鳴り止み２段（ステップＳ２２）→鳴り止み１段（ステップＳ２３）→監視状態（ステップＳ２６）に遷移する。
【００４４】
また、図１１に示すように、警報値＋６００ｍＶ以上のガス濃度のガスが発生し（ステップＳ１５でＹ）、その後、換気を行った結果、警報状態→鳴り止み２段→鳴り止み１段に遷移して、ガス濃度が警報値＋２００ｍＶ未満まで低下したにも係わらず（ステップＳ２１でＹ）、何らかの原因で警報値＋２５０ｍＶ以上のガス濃度の上昇が再び発生すると（ステップＳ２４でＹ）、ＣＰＵ３１は、鳴り止み１段から警報状態に遷移し、ステップＳ１３に戻って、警報ブザー４及び警報ランプ５の鳴動間隔、点灯間隔を間隔Ｔ33から間隔Ｔ31に戻す。
【００４５】
警報状態に戻った後に、ガス濃度が警報値＋６００ｍＶを越えなければ（ステップＳ１５でＮ）、ガス濃度が低下しても鳴り止み２段、鳴り止み１段に戻ることなく、ガス濃度が解除値未満になると（ステップＳ２８でＹ）、警報状態から監視状態に遷移して、警報ブザー４及び警報ランプ５による警報を停止させた後（ステップＳ２６）、ステップＳ１１に戻る。
【００４６】
さらに、ガス濃度が警報値以上となっても（ステップＳ１２でＹ）、ガス濃度が警報値＋６００ｍＶ以上になっていなければ（ステップＳ１５でＮ）、ＣＰＵ３１は、ガス濃度が低下しても鳴り止み２段、鳴り止み１段に遷移することなく、ガス濃度が解除値未満になると（ステップＳ２８でＹ）、警報状態から監視状態に遷移して、警報ブザー４及び警報ランプ５による警報を停止させた後（ステップＳ２６）、ステップＳ１１に戻る。
【００４７】
この場合も、第１〜第３実施形態と同様に、第１警報発生期間Ｔ１と第２警報発生期間Ｔ２とに発生する警報を異ならせる。第４実施形態も同様に、ガス濃度が低下して警報値＋５５０ｍＶ未満となった時点で第１警報発生期間Ｔ１から第２警報発生期間Ｔ２になり警報が変わるので、警報発生後の換気に効果があることをユーザに伝えることができ、ユーザの不安感を解消することができる。また、ガス濃度が低下して警報値＋５５０ｍＶ以下となった後も警報を発生し続けることができるため、換気が十分に行われていない状態でユーザが換気を止めてしまう恐れもない。
【００４８】
また、上述したガス警報器１によれば、第１警報発生期間Ｔ１中に警報ブザー４を間欠鳴動させると共に警報ランプ５を間欠点灯させ、第２警報発生期間Ｔ２中に第１警報発生期間Ｔ１よりも長い間隔Ｔ32、Ｔ33（＞Ｔ31）で警報ブザー４を間欠鳴動させると共に警報ランプ５を間欠点灯させている。これにより、警報ブザー４及び警報ランプ５を用いて簡単に警報を異ならせることができる。
【００４９】
また、上述したガス警報器１によれば、第２警報発生期間Ｔ２中にガスセンサ２により検出されたガス濃度の低下に応じて警報ブザー４の鳴動間隔及び警報ランプ５の点灯間隔が段階的に遅くなる（変化する）。これにより、換気の効果がどの程度なのかをより細かくユーザに伝えることができる。
【００５０】
また、上述したガス警報器１によれば、第２警報発生期間Ｔ２中にガスセンサにより検出されたガス濃度が再び上昇したときに第１警報発生期間Ｔ１に戻す。これにより、ユーザに再びガス濃度が上昇した旨を知らせることができる。
【００５１】
なお、上述した第１〜第４実施形態によれば、音声による警報とブザー音による警報との何れか一方を行っていたが、本発明はこれに限ったものではない。音声による警報とブザー音による警報との両方を行うようにしてもよい。
【００５２】
また、本発明は、第１警報発生期間Ｔ１と、第２警報発生期間Ｔ２と、で発生する警報が異なるようにすればよく、警報を異ならせる方法としては、上述した第１〜第４実施形態で説明したものに限定されるものではない。
【００５３】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５４】
２    ガスセンサ
５    警報ランプ（発光手段）
３１  ＣＰＵ（警報発生手段）
Ｔ１  第１警報発生期間
Ｔ２  第２警報発生手段
【図１】
2010267244.tif 000003
【図２】
2010267244.tif 000004
【図３】
2010267244.tif 000005
【図４】
2010267244.tif 000006
【図５】
2010267244.tif 000007
【図６】
2010267244.tif 000008
【図７】
2010267244.tif 000009
【図８】
2010267244.tif 000010
【図９】
2010267244.tif 000011
【図１０】
2010267244.tif 000012
【図１１】
2010267244.tif 000013